(57)【要約】 【課題】  扉への取り付けが容易であって、かつ使い勝手のよい扉ロック装置を提供すること。【解決手段】  通路の壁部に開閉可能に設けられた親扉３と、この親扉３に開閉可能に設けられた子扉４との間に設けられ、これら親扉３と子扉４とが展開状態にある位置に両者３，４を付勢してその展開状態をロックする扉ロック装置１において、前記子扉４の回動側の面４ａに取り付けられるベース部材６と、このベース部材６を前記子扉４に取り付けたとき、前記子扉４の回動端側に配される前記ベース部材６の端部に回動可能に支持される支持アーム７と、前記ベース部材６と支持アーム７とを相互に折り畳み状態に付勢する弾性部材９とを備え、前記ベース部材６または支持アーム７のいずれか一方に係合爪４７を設けるとともに、他方に係合孔４３を設けて、前記ベース部材６と支持アーム７とを折り畳み状態で係止可能としたことを特徴とする。【選択図】    図１
2006009351.tif 000002
【特許請求の範囲】
【請求項１】
通路の壁部に開閉可能に設けられた親扉と、この親扉に開閉可能に設けられた子扉との間に設けられ、これら親扉と子扉とが展開状態にある位置に両者を付勢してその展開状態をロックする扉ロック装置において、
前記子扉の回動側の面に取り付けられるベース部材と、
このベース部材を前記子扉に取り付けたとき、前記子扉の回動端側に配される前記ベース部材の端部に回動可能に支持される支持アームと、
前記ベース部材と支持アームとを相互に折り畳み状態に付勢する弾性部材とを備え、
前記ベース部材または支持アームのいずれか一方に係合爪を設けるとともに、他方に係合孔を設けて、前記ベース部材と支持アームとを折り畳み状態で係止可能としたことを特徴とする扉ロック装置。
【請求項２】
前記係合爪が、前記係合孔に係合する係合位置と、前記係合孔に係合しない退避位置との間において往復移動可能に支持され、
前記係合爪に設けられこの係合爪に伴って往復移動する操作ピンと、
この操作ピンを移動させて、前記係合爪を退避位置に置いたときに、前記操作ピンを挟み込み、この操作ピンの移動を規制する挟持部材と、を備えることを特徴とする請求項１に記載の扉ロック装置。
【請求項３】
前記係合孔が、前記ベース部材または支持アームのいずれか一方に切り起こし成形によって設けられていることを特徴とする請求項１または請求項２に記載の扉ロック装置。
【請求項４】
前記ベース部材と支持アームとが相互に折り畳まれて前記係合爪と係合孔とが係合している状態において、前記係合爪および係合孔に、前記ベース部材と支持アームとの展開方向への所定の負荷をかけると、前記係合爪と係合孔との係合を解除する係合解除手段を備えていることを特徴とする請求項１から請求項３のいずれか一つに記載の扉ロック装置。
【請求項５】
前記係合解除手段が、前記負荷をかけたときに前記係合孔に対して前記係合爪を退避させる傾斜部を備えることを特徴とする請求項４に記載の扉ロック装置。
【請求項６】
前記傾斜部が前記係合孔に対して突出する突出寸法の長短を調整する突出寸法調整手段を備えることを特徴とする請求項５に記載の扉ロック装置。
【請求項７】
請求項１から請求項６のいずれか一つに記載の扉ロック装置と、
前記親扉と子扉とを相互に閉じた状態に配したとき、その閉じた状態をロックする閉状態保持装置と、を備えることを特徴とする扉ロックユニット。
【請求項８】
前記通路を閉鎖するための通路閉鎖位置に前記親扉を配したときに、この親扉の回動を規制する親扉回動規制装置を備えることを特徴とする請求項７に記載の扉ロックユニット。
【発明の詳細な説明】
【技術分野】
【０００１】
本発明は、建物の通路、出入口などに設けられる二つ折りの防火扉などに用いて最適な扉ロック装置および扉ロックユニットに関するものである。
【背景技術】
【０００２】
一般に、建物の通路や出入口などには防火扉が設けられており、火災発生時に建物等からの信号により防火扉を作動させて、この防火扉によりそれら通路や出入口を閉鎖することによって延焼をくい止めるようになっている。
これら防火扉の中には、図１４（ｃ）に示すように、親扉１０２と子扉１０３とを備え、これら両扉１０２，１０３の一端が扉ヒンジ部１０４を介して連結され、この扉ヒンジ部１０４によりそれら両扉１０２，１０３が相互に開閉する方向に回動することができるような二つ折りのものがある。
【０００３】
この親扉１０２は、その他端に壁側ヒンジ部１０５が設けられ、この壁側ヒンジ部１０５を介して通路１０１の壁部１０８に取り付けられている。すなわち、親扉１０２は、壁側ヒンジ部１０５を介して壁部１０８に接近離間する方向に回動可能な状態になっている。
これら防火扉１００によって通路１０１を開放または閉鎖するには、通常、二段階の動作が必要となる。すなわち、通路１０１が閉鎖された状態から通路１０１を開放するときには、第一段階として、図１４（ｂ）に示すように、親扉１０２と子扉１０３とを扉ヒンジ部１０４を介して相互に閉じた状態に配する。そして、第二段階として、図１４（ａ）に示すように、両扉１０２，１０３を閉じた状態のまま、これら両扉１０２，１０３が壁部１０８に近づく方向に壁側ヒンジ部１０５を介して両扉を回転移動させ、壁部１０８に設けられた所定の収納部１０６に両扉１０２，１０３を収納する。これにより、狭いスペースに両扉１０２，１０３が効率よく収納される。そして、これら両扉１０２，１０３が収納されることにより、通路１０１がオープンとなる。
【０００４】
一方、通路１０１を閉鎖するときには、第一段階として、両扉１０２，１０３を互いに閉じた状態のまま壁側ヒンジ部１０５を介して壁部１０８から離れる方向に回転移動させ、収納部１０６からそれら両扉１０２，１０３を外に出す。そして、両扉１０２，１０３を閉じたまま、図１４（ｂ）に示すように、親扉１０２が壁部１０８と垂直になる位置まで、両扉１０２，１０３を移動させる。なお、このときの親扉１０２の位置を、通路閉鎖位置といい、符号Ｐで示すものとする。そして、第２段階として、図１４（ｃ）に示すように、両扉１０２，１０３が相互に展開した状態になるように、扉ヒンジ部１０４を介して子扉１０３を相互に開く方向に回転移動させる。これにより、通路１０１が閉鎖された状態になる。
【０００５】
ここで、通路１０１の閉鎖状態を保持するためには、両扉１０２，１０３の展開状態を確実に保持する必要がある。また、通路１０１に多くの人や物を通すときには、両扉１０２，１０３の展開状態を保持してこれら両扉１０２，１０３を一体として壁側ヒンジ部１０５を介して回動させた方が都合がよい。そのため、両扉１０２，１０３の折り畳みを可能にしつつ、両扉１０２，１０３を展開状態でロックすることができる二つ折り扉のロック装置が知られている（例えば、特許文献１参照。）。このロック装置は、子扉に取り付けられる本体リンク部と、親扉に取り付けられる係止部とを備えている。そして、本体リンク部には開口部が設けられ、親扉と子扉とを相互に開いて展開状態に配すると、係止部と開口部とが係合し、両扉の展開状態をロックするようになっている。
【特許文献１】特開平１１−３１６１１９号公報
【発明の開示】
【発明が解決しようとする課題】
【０００６】
しかしながら、上記のような構成の扉ロック装置では、親扉と子扉にそれぞれ別部材を設けなければならないため、取り付けに手間がかかるだけでなく、それら別部材の取り扱いや管理が面倒になるという問題がある。
【０００７】
本発明は、このような問題に鑑みなされたものであって、扉への取り付けが容易であって、かつ使い勝手のよい扉ロック装置および扉ロックユニットを提供することを目的としている。
【課題を解決するための手段】
【０００８】
上記課題を解決するために、本発明は以下の手段を提供する。
請求項１に係る発明は、通路の壁部に開閉可能に設けられた親扉と、この親扉に開閉可能に設けられた子扉との間に設けられ、これら親扉と子扉とが展開状態にある位置に両者を付勢してその展開状態をロックする扉ロック装置において、前記子扉の回動側の面に取り付けられるベース部材と、このベース部材を前記子扉に取り付けたとき、前記子扉の回動端側に配される前記ベース部材の端部に回動可能に支持される支持アームと、前記ベース部材と支持アームとを相互に折り畳み状態に付勢する弾性部材とを備え、前記ベース部材または支持アームのいずれか一方に係合爪を設けるとともに、他方に係合孔を設けて、前記ベース部材と支持アームとを折り畳み状態で係止可能としたことを特徴とする。
【０００９】
この発明においては、ベース部材の端部に支持アームが回動可能に支持されるとともに、これらベース部材と支持アームとが弾性部材により相互に折り畳み状態に付勢され、両者が折り畳まれたときに、係合爪と係合孔とが係合し、ベース部材と支持アームとが係止される。そこで、親扉と子扉とが展開した状態に配されたときにベース部材と支持アームとが相互に折り畳まれた状態になるように、ベース部材を、子扉の回動側の面の所定の位置に取り付けることにより、親扉と子扉とを展開状態のままロックすることができる。
【００１０】
これにより、係合爪と係合孔とが分離独立した別部材に設けられずに、ベース部材と、このベース部材に支持された支持アームとの一体の部材に設けられるため、部品点数を少なくすることができ、かつ装置の管理や取り扱いを極めて容易にすることができる。また、子扉のみに設置するだけで親扉と子扉の展開状態をロックすることができるため、取付作業を容易にすることができる。
【００１１】
請求項２に係る発明は、請求項１に記載の扉ロック装置において、前記係合爪が、前記係合孔に係合する係合位置と、前記係合孔に係合しない退避位置との間において往復移動可能に支持され、前記係合爪に設けられこの係合爪に伴って往復移動する操作ピンと、この操作ピンを移動させて、前記係合爪を退避位置に置いたときに、前記操作ピンを挟み込み、この操作ピンの移動を規制する挟持部材と、を備えることを特徴とする。
この発明においては、操作ピンを移動させることにより、係合爪が、係合位置と退避位置との間を移動する。さらに、操作ピンを移動させ、係合爪を退避位置に置いたときに、挟持部材により、操作ピンが挟まれて、この操作ピンの移動が規制される。
これにより、操作ピンを移動させるという簡単な動作だけでロックの解除を簡易かつ確実に行うことができる。
【００１２】
請求項３に係る発明は、請求項１または請求項２に記載の扉ロック装置において、前記係合孔が、前記ベース部材または支持アームのいずれか一方に切り起こし成形によって設けられていることを特徴とする。
この発明においては、係合孔が、ベース部材または支持アームのいずれか一方に切り起こし成形によって設けられる。
これにより、部品点数をさらに減少させることができ、コストを削減し容易に製造することができる。
【００１３】
請求項４に係る発明は、請求項１から請求項３のいずれか一つに記載の扉ロック装置において、前記ベース部材と支持アームとが相互に折り畳まれて前記係合爪と係合孔とが係合している状態において、前記係合爪および係合孔に、前記ベース部材と支持アームとの展開方向への所定の負荷をかけると、前記係合爪と係合孔との係合を解除する係合解除手段を備えていることを特徴とする。
この発明においては、係合爪と係合孔とが係合している状態において、係合爪および係合孔に、所定の負荷をかけると、係合解除手段により、係合爪と係合孔との係合が解除される。
これにより、特に緊急時などにおいて通路をいち早く開放する必要がある場合に、操作ピンを操作することなく扉の展開状態のロックをいち早く解除することができる。また、係合爪と係合孔に過大な負荷がかかるのを防止することができる。
【００１４】
請求項５に係る発明は、請求項４に記載の扉ロック装置において、前記係合解除手段が、前記負荷をかけたときに前記係合孔に対して前記係合爪を退避させる傾斜部を備えることを特徴とする。
この発明においては、前記負荷がかかると、傾斜部の傾斜にならって係合爪が係合孔に対して退避するように移動する。
これにより、扉の展開状態のロックをいち早く確実に解除することができ、また、係合爪と係合孔に過大な負荷がかかるのを確実に防止することができる。
【００１５】
請求項６に係る発明は、請求項５に記載の扉ロック装置において、前記傾斜部が前記係合孔に対して突出する突出寸法の長短を調整する突出寸法調整手段を備えることを特徴とする。
傾斜部の前記突出寸法は長ければ長いほど、前記負荷を支持し係合爪と係合孔との係止状態を最大限保持する限界保持力も大きくなり、突出寸法が小さくなれば、それだけ限界保持力も小さくなる。
この発明においては、突出寸法調整手段により、傾斜部の前記突出寸法の長短が調整される。
これにより、前記限界保持力を任意に設定することができ、取り付けられる扉の重量や、扉の設置される状況に応じて、最適な限界保持力を適宜調整することができる。
【００１６】
請求項７に係る発明は、請求項１から請求項６のいずれか一つに記載の扉ロック装置と、前記親扉と子扉とを相互に閉じた状態に配したとき、その閉じた状態をロックする閉状態保持装置と、を備えることを特徴とする。
この発明においては、前記親扉と子扉とを相互に閉じた状態に配すると、閉状態保持装置により、前記閉じた状態がロックされる。
これにより、親扉と子扉の同時開閉を迅速かつスムーズに行うことができる。
【００１７】
請求項８に係る発明は、請求項７に記載の扉ロックユニットにおいて、前記通路を閉鎖するための通路閉鎖位置に前記親扉を配したときに、この親扉の回動を規制する親扉回動規制装置を備えることを特徴とする。
この発明においては、親扉を通路閉鎖位置に配すると、親扉回動規制装置により、その親扉の回動が規制される。
これにより、親扉を通路閉鎖位置に配した状態で、子扉の開閉を容易に行うことができ、さらに通路の閉鎖状態を確実に保持することができる。
【発明の効果】
【００１８】
本発明によれば、子扉のみに設置するという簡単な作業だけで扉への取り付けを行うことができ、かつ部材を一体とすることができるため装置の使い勝手を向上させることができる。
【発明を実施するための最良の形態】
【００１９】
（実施例１）
以下、本発明の第１実施例における扉ロック装置について、図面を参照して説明する。
図１は、二つ折り扉に本実施例における扉ロック装置を設置した様子を示したものである。図１において、符号１は扉ロック装置、符号２は二つ折り扉（扉）を示している。
最初に、本実施例における扉ロック装置１が設置される二つ折り扉２について説明する。
二つ折り扉２は、従来と同様に、親扉３と子扉４とを備え、図６に示すように、これら親扉３と子扉４とが扉ヒンジ部５を介して相互に開閉可能、すなわち矢印ＡＢ方向に回動可能に連結されている。そして親扉３は、図６に示すように、壁部１５に対して壁側ヒンジ部３４を介して開閉可能に連結されている。
ここで、図１および図６（ｃ）においては、親扉３と子扉４とが相互に開かれた様子を示しており、図３および図６（ａ）、（ｂ）においては、両扉３，４とが相互に閉じられた様子を示している。さらに、図２においては、両扉３，４が互いに略９０度になるように配された様子を示している。
【００２０】
すなわち、親扉３と子扉４とを相互に開くと、両扉３，４が展開状態になり、子扉４は図１の実線で示すように両扉３，４の回動面（回動側の面）３ａ，４ａが面一になる位置に配される。一方、両扉３，４を相互に閉じると、両扉３，４が折り畳まれた状態になり、子扉４は図１の２点鎖線および図３の実線で示すように、両扉３，４の回動面３ａ，４ａが対向する位置に配されるようになっている。
【００２１】
次に、本実施例における扉ロック装置１の構成について説明する。
扉ロック装置１は、図１から図３に示すように、子扉４に取り付けられる取付板（ベース部材）６を備えている。この取付板６の長さ方向の一端には、その幅方向に向けられた本体回動軸１０を有する本体ヒンジ部８を介して、本体アーム（支持アーム）７が相互に開閉可能に、すなわち軸線Ｌを中心として図２に示す矢印ＣＤ方向に回動可能に取り付けられている。つまり、取付板６と本体アーム７とを相互に開くと、図３に示すように、両者が展開状態になり、一方、取付板６と本体アーム７とを相互に閉じようとすると、図２に示すように、本体ヒンジ部８を介して両者が互いに近づけられ、さらに図１に示すように、両者が完全に折り畳まれた状態になるようになっている。また、本体回動軸１０には、その軸周りに巻きつけられるようにして本体回動バネ（弾性部材）９が設けられており、この本体回動バネ９により、取付板６と本体アーム７とは常に折り畳み状態になるように付勢された状態になっている。
【００２２】
取付板６は、図４に示すように、横断面コの字状に形成されており、その外底面である取付面６ａの四隅には、図５に示すように、それぞれ本体取付孔１１ａ，１１ｂが形成されている。そして、取付板６の他端側、すなわち回動端１３側に配される本体取付孔１１ａの近傍には、図１に示すように、係止部材取付孔１２が形成されている。
また、本実施例における扉ロック装置１においては、取付板６の内底面に、本体部２２を有する係止部材２１が取り付けられている。本体部２２は、略矩形状に形成された基板面２２ａを備えている。そして、基板面２２ａの一端には、この一端を起点として基板面２２ａと略直交する方向に延ばされた後方壁部２２ｂが形成されている。一方、基板面２２ａの他端には、この他端を起点として基板面２２ａと略直交し、後方壁部２２ｂと対向するように延ばされた前方壁部２２ｃが形成されている。さらに、前方壁部２２ｃの基板面２２ａ側の反対側の端部には、この端部を起点として、前方壁部２２ｃと略直交し、基板面２２ａと対向するように延ばされた蓋壁部２２ｄが形成されている。
【００２３】
基板面２２ａには、本体取付孔１１ａと対向する位置に、それぞれ基板面開口孔２３が形成されており、係止部材取付孔１２と対向する位置に、基板面ネジ孔２５が形成されている。蓋壁部２２ｄには、図５に示すように、本体取付孔１１ａおよび基板面開口孔２３と対向する位置に、蓋壁部開口孔２４が形成されている。
【００２４】
このような構成のもと、本体取付孔１１ｂには、図１に示すように、取付板６の内底面側から外底面側に向けて、本体取付用短ネジ２０ｂが挿入され、また本体取付孔１１ａには蓋壁部開口孔２４から基板面開口孔２３を介して本体取付用長ネジ２０ａが挿入され、これらのネジ２０ａ，２０ｂが子扉４の不図示のネジ穴に螺合されるようになっている。さらに、係止部材取付孔１２には、取付板６の外底面側から内底面側に向けて係止部材取付ネジ２６が挿入されており、この係止部材取付ネジ２６は基板面ネジ孔２５に螺合されている。
これらにより、取付板６は、子扉４の回動面４ａであって扉ヒンジ部５の近傍に固定され、係止部材２１は取付板６の内底面の回動端１３側に固定された状態になっている。
【００２５】
また、前方壁部２２ｃの中央には、図４に示すように、矩形開口部２８が形成されており、後方壁部２２ｂの、矩形開口部２８に対向する位置には、円形開口部２７が形成されている。また、図５に示すように、蓋壁部２２ｄの中央には、前方壁部２２ｃおよび後方壁部２２ｂに直交する方向に延びる蓋壁部用長孔２９が形成されている。
さらに、図１に示すように、本体部２２の、基板面２２ａ、後方壁部２２ｂ、前方壁部２２ｃおよび蓋壁部２２ｄで囲まれた領域内には、係合部品としての係合部４０が設けられている。係合部４０は、棒状の支持ピン４２を備えており、この支持ピン４２の先端には、後述する係合ヘッド部４１が設けられている。一方、支持ピン４２の後端には、雄ネジ部４４が形成されている。そして、支持ピン４２には係合部付勢バネ４６が通され、この係合部付勢バネ４６が通された状態で、支持ピン４２の後端が円形開口部２７に通され、この円形開口部２７を貫通して突出した支持ピン４２の後端の雄ネジ部４４にナット４５が螺合された状態になっている。
【００２６】
これにより、支持ピン４２は、取付板６の回動端１３とヒンジ部８とを結ぶ方向、すなわち取付板６の長さ方向（図１に示す矢印ＥＦ方向）に沿って往復移動可能に支持されるとともに、係合部付勢バネ４６によって、矢印Ｅ方向に常に付勢された状態になっている。さらに、ナット４５を強く締め付ける方向に回すと、支持ピン４２は矢印Ｆ方向に沿って漸次移動するようになっており、一方、ナット４５の締め付けを弱くする方向に回すと、支持ピン４２は矢印Ｅ方向に沿って漸次移動するようになっている。これにより、前記領域内における係合部４０の矢印ＥＦ方向の設定位置が調整されるようになっている。
【００２７】
また、支持ピン４２の先端に設けられた係合ヘッド部４１は、矩形開口部２８内を挿通することができるように配されている。係合ヘッド部４１には、矢印ＥＦ方向に直交する方向に向けられた貫通孔３９が設けられている。この貫通孔３９には、後述する本体アーム用長孔５１、保持クリップ（挟持部材）５２および上記の蓋壁部用長孔２９を介して棒状の操作ピン４８の一端が挿入されており、操作ピン４８の他端は、本体アーム７から突出した状態になっている。さらに、係合ヘッド部４１の先端部には係合孔４３に係合する係合爪４７が形成されている。
【００２８】
このような構成のもと、操作ピン４８を本体アーム用長孔５１および蓋壁部用長孔２９内において矢印ＥＦ方向に沿って移動させると、係合部４０も矢印ＥＦ方向に沿って移動するようになっており、これにより、係合爪４７が、前方壁部２２ｃの外面から突出する突出位置と、前方壁部２２ｃの内方に没する退避位置との間において、往復移動するようになっている。さらに、ナット４５を回して締め付けを調整し、係合部４０の矢印ＥＦ方向に沿った設定位置を変化させることにより、係合爪４７の前方壁部２２ｃからの突出寸法が設定され、これにより、係合爪４７の突出位置と退避位置との間の操作ピン４８の移動距離が調整されるようになっている。
【００２９】
さらに、上述の本体アーム７は、図４に示すように、横断面コの字状に形成されており、また、図１に示すように、本体アーム７の回動端１４には、ローラー回動軸６０を介してローラー６１が設けられている。
また、本実施例における扉ロック装置１の本体アーム７の底面部中央には、本体アーム７の内側に向けられた切り起こし部５０が形成されている。この切り起こし部５０には、図２に示すように、軸線Ｌを中心として取付板６を回動させたときにこの取付板６とともに回動する係合爪４７の回動軌跡Ｒ上に、矩形の係合孔４３が形成されている。そのため、取付板６と本体アーム７とを相互に折り畳んだ状態に配すると、係合爪４７が係合孔４３に係合するようになっている。
【００３０】
また、本体アーム７の底面には、図１および図５に示すように、取付板６と本体アーム７とを相互に折り畳んだときに、蓋壁部用長孔２９に対向する位置に、矢印ＥＦ方向に延びる本体アーム用長孔５１が設けられている。この本体アーム用長孔５１の近傍には、本体アーム用長孔５１の長さ方向に配された保持クリップ取付孔５３および保持クリップ位置決め孔５５が形成されている。さらに、支持アーム用長孔５１の縁部であって、本体アーム７の内底面には、保持クリップ５２が設けられている。この保持クリップ５２は、針金状の部材を、折り返し部５２ｂを中心として折り返すことにより略Ｕ字状に形成され、その両端部は互いに離れる方向に向けられてハの字状に形成されている。さらにその折り返し部５２ｂから両端部に至るそれぞれの途中位置において、互いに接近する方向に屈曲したくびれ部５２ａが形成されている。
【００３１】
このような構成のもと、保持クリップ５２は以下のようにして取り付けられている。すなわち、保持クリップ取付ネジ５４を、本体アーム７の外底面側から保持クリップ取付孔５３に螺合させることにより、保持クリップ５２は、その開放端が矢印Ｅ方向に向けられて固定されている。このとき保持クリップ位置決めネジ５６を外底面側から保持クリップ位置決め孔５５に螺合させて、その保持クリップ位置決めネジ５６の内底面側まで貫通した先端部が保持クリップ５２の中空のスペースに挿入されるように、保持クリップ５２の位置を調整することにより、保持クリップ５２が位置決めされるとともに、保持クリップ取付ネジ５４を締めるときに、保持クリップ取付ネジ５４の回転に合わせて保持クリップ５２が回転するのを防止するようになっている。
【００３２】
さらに、操作ピン４８を、係合爪４７が退避位置に配されるまで、矢印Ｆ方向に移動させると、操作ピン４８がくびれ部５２ａを通過し、折り返し部５２ｂの側に配されるようになっている。このとき、操作ピン４８は、係合部付勢バネ４６により矢印Ｅ方向に付勢されているが、くびれ部５２ａにより挟み込むようにして保持されるため、矢印Ｅ方向への移動が規制され、これにより、係合爪４７が退避位置に置かれた状態が保持されるようになっている。
【００３３】
次に、このように構成された本実施例における扉ロック装置１の作用について説明する。
ここでは、まず扉ロック装置１の二つ折り扉２への取り付けについて説明する。
本実施例における扉ロック装置１は、上述したように、子扉４の回動面４ａに取り付けられるものである。すなわち、図１に示すように、本体取付用長ネジ２０ａの先端が、蓋壁部開口孔２４から基板面開口孔２３および本体取付孔１１ａを経て、取付板６の取付面６ａから突出した状態から、その本体取付用長ネジ２０ａを回動面４ａの所定のネジ孔に螺合させて締め付ける。これにより、係合部４０は、取付板６を介して、本体取付用長ネジ２０ａによって子扉４に直接取り付けられる。さらに、本体取付用短ネジ２０ｂを本体取付孔１１ｂを介して、回動面４ａの所定のネジ孔に螺合させて締め付ける。これらにより、扉ロック装置１が、二つ折り扉２に取り付けられる。
【００３４】
このとき、取付板６の本体ヒンジ部８側が子扉４の回動端側に向けられ、取付板６の回動端１３側が扉ヒンジ部５側に向けられて配置される。そして、親扉３と子扉４とが展開状態にあるときには、図１に示すように、取付板６と本体アーム７とが相互に閉じられた状態になり、逆に、親扉３と子扉４とが折り畳み状態にあるときには、図３に示すように、取付板６と本体アーム７とは、相互に開いた状態になるように設置される。
【００３５】
次に、本扉ロック装置１の作用について、二つ折り扉２の開閉動作に合わせて説明する。
図６（ａ）に示すように、二つ折り扉２が収納部３５に収納されると、通路３１がオープン状態になる。この状態から、通路３１を閉鎖する場合には、従来と同様に、２段階の動作が行われる。すなわち、両扉３，４を、折り畳み状態のまま、壁側ヒンジ部３４を介して回転移動させて収納部３５の外に出す。そして、両扉３，４を閉じたまま、図６（ｂ）に示すように、親扉３が通路閉鎖位置Ｐに配されるように、両扉３，４を移動させる。この状態から、子扉４を、扉ヒンジ部５を介して、矢印Ａ方向に回動させる。すると、取付板６が、図２に示す軸線Ｌを中心として、矢印Ｄ方向に回動する。そして、両扉３，４が互いに略９０度になるように配されると、取付板６と本体アーム７とが、軸線Ｌを中心として、互いに近づけられた状態になる。
【００３６】
この間、本体アーム７は、本体回動バネ９により、常に取付板６と本体アーム７とが相互に閉じられる方向に付勢されているため、ローラー６１が回動面３ａに接触し、回動面３ａを付勢し続ける。また、子扉４の回動に応じて本体ヒンジ部８も矢印Ａ方向に沿って移動するので、本体アーム７は、全体として扉ヒンジ部５に向けて、すなわち矢印Ｈ方向にスライドする。このとき、ローラー６１が回転することにより、本体アーム７がスムーズにスライドする。
【００３７】
ここから、さらに子扉４を同方向に回動させると、図６（ｃ）に示すように、親扉３と子扉４とが相互に展開状態になり、通路３１が塞がれる。このとき、親扉３と子扉４とは相互に展開状態になるのに対して、取付板６は図２に示す軸線Ｌを中心として矢印Ｄ方向に回動するため、取付板６と本体アーム７とは、図１に示すように、相互に閉じられた状態になる。そして、係合孔４３が、係合爪４７の回動軌跡Ｒ上に配置されているため、係合爪４７が係合孔４３に係合する。すなわち、係合爪４７が前方壁部２２ｃから突出している状態において、取付板６と本体アーム７とを相互に閉じようとすると、係合爪４７が切り起こし部５０に接触するとともに、この切り起こし部５０に押圧されて、係合爪４７が係合付勢バネ４６の付勢力に抗して退避位置に退避する。そのため、取付板６と本体アーム７とが完全に閉じられる。このとき、係合付勢バネ４６の付勢力により、係合孔４３を介して、係合爪４７が、図１に示す矢印Ｅ方向に移動し、係合位置に戻される。これにより係合爪４７が係合孔４３に係合し、取付板６と本体アーム７とが係止される。
【００３８】
本体アーム７の長さ寸法は、取付板６の長さ寸法より長く設定されているため、親扉３と子扉４とを展開状態に配すると、本体アーム７は、本体ヒンジ部８から扉ヒンジ部５を介して、すなわち子扉４から親扉３へとまたぐようにして配置された状態になる。その結果、親扉３と子扉４とが展開状態でロックされる。そのため、通路３１の閉鎖状態が確実に保持されるだけでなく、図６（ｃ）に示す壁側ヒンジ部３４を介して、二つ折り扉２を一体としてワンアクションで回動させることができるようになり、通路３１を効率よくオープンにし、多くの人や物を通過させることができる。
【００３９】
また、これらとは反対に、上記のように通路３１が閉鎖された状態から、通路３１を常時オープンにするには、操作ピン４８を、図５に示す矢印Ｆ方向に、本体アーム用長孔５１の縁まで移動させる。すると、操作ピン４８は、保持クリップ５２のくびれ部５２ａを経て中空部分まで移動する。そのため、操作ピン４８は、係合部付勢バネ４６により矢印Ｅ方向に付勢されているが、くびれ部５２ａにより保持されて、同方向への移動が規制され、係合爪４７が、退避位置に配されたままになる。そのため、取付板６と本体アーム７との係止状態が解除され、この解除状態のまま維持される。これにより、子扉４のみを、扉ヒンジ部５を介して回動させることができるようになり、上記一連の動作と逆の動作により、親扉３と子扉４とが折り畳まれた状態で収納部３５に収納される。
また、通路３１を塞いだ状態から、子扉４のみを回動させることにより、その空いたスペースを介して少ない人や物を通過させることもできる。
なお、ナット４５を回して、操作ピン４８の移動距離をあらかじめ設定することにより、二つ折り扉２の設置される状況に応じて、上記係止状態の解除の行いやすさを調整することができる。
【００４０】
また、これらとは反対に、上記のように通路３１を塞いだ状態から、通路３１を常時オープンにするには、操作ピン４８を操作して取付板６と本体アーム７との係止状態を解除して、上記一連の動作と逆の動作により、親扉３と子扉４とが収納部３５に収納される。
【００４１】
以上より、本実施例における扉ロック装置１によれば、取付板６に係合爪４７が設けられるとともに、本体アーム７に係合孔４３が設けられるため、これら全てを一体部品とすることができる。そのため、部品点数を減少させることができ、かつ扉ロック装置１の管理や取り扱いを極めて容易にすることができる。
また、従来のように、親扉３と子扉４とにそれぞれ別部材を取り付ける必要がなく、子扉４のみに取り付ければ済むので、取付作業を迅速かつ容易に行うことができる。
さらに、係合部４０を、取付板６を介して、本体取付用長ネジ２０ａにより直接子扉４に取り付けることができるため、係合部４０を子扉４に固定する力を増強させることができ、装置全体の耐久性を向上させることができる。
【００４２】
また、操作ピン４８を移動させるだけで、ワンタッチで係合爪４７と係合孔４３との非係合状態が維持されるので、親扉３と子扉４との展開状態のロックを簡易かつ確実に行うことができる。
また、本体アーム７に切り起こし部５０が設けられ、この切り起こし部５０に係合孔４３が形成されるため、別部品として係合孔４３を新たに取り付ける必要がなくなり、部品点数を減少させ、これによりコストを削減し装置自体の製造を容易にすることができる。
さらに、万一操作ピン４８が作動不良になった場合、切り起こし部５０によって本体アーム部７に形成された孔５０ａにドライバー等の工具を通して、このドライバー等の工具により係合爪４７を係止部材２１内に直接押し込むことにより、操作ピン４８を操作することなく直ちに係合爪４７と係合孔４３との係合状態を解除することができる。
さらに、取付板６や本体アーム７の両側壁部などに開口部や孔を設ける必要がなく、密閉性を高めることができるため、塵埃や水分の侵入を防止することができる。そのため、塵埃によって取付板６と本体アーム７との開閉が阻害されたり、水分によって装置が錆びたりするのを防止することができ、使い勝手や耐久性を向上させることができる。
【００４３】
（実施例２）
図７は、本発明の第２の実施例を示したものである。
図７において、図１に記載の構成要素と同一部分については同一符号を付し、その説明を省略する。
この実施例と上記第１の実施例とは基本的構成は同一であり、以下の点において相違した構成とするものである。すなわち、本実施例における係合爪４７は、この係合爪４７を形成する面の一つに、係合を解除するためのテーパーが設けられて構成されるものである。すなわち係合爪４７が係合孔４３に係合している状態から取付板６と本体アーム７との展開方向への負荷をかけると、係合爪４７が係合孔４３を形成する枠に接触することによってその負荷が支持されるが、その係合爪４７の接触支持面に、傾斜部（係合解除手段）４９が形成されている。そして、この傾斜部４９により、前記負荷をかけたときに係合ヘッド部４１が矢印Ｆ方向に押圧され、係合爪４７と係合孔４３との係合が解除されるようになっている。
【００４４】
また、さらに、ナット４５を回して締め付けを調整し、支持ピン４２を介して係合部４０の矢印ＥＦ方向に沿った設定位置を変化させることにより、係合爪４７に形成された傾斜部４９の、前方壁部２２ｃからの突出寸法が調整されるようになっている。すなわち、支持ピン４２、雄ネジ部４４およびナット４５は、傾斜部４９の突出寸法調整手段として機能するものである。
【００４５】
このような構成のもと、上記と同様の作用により、二つ折り扉２の開閉が行われる。
ここで、親扉３と子扉４とを展開して、これをロックした状態において、災害時の何らかのアクシデントにより、操作ピン４８によるロック解除ができなくなり、子扉４が開かなくなることが考えられる。このようなときには、緊急事態としていち早く、上記ロックを解除し、人や物を通す必要があるが、本実施例における扉ロック装置１においては、以下のようにして、親扉３と子扉４の緊急解除がなされる。
【００４６】
すなわち、両扉３，４が展開している状態において、両扉３，４が相互に折り畳まれる方向に子扉４を押す。すると、取付板６と本体アーム７との展開方向に所定の負荷がかかる。このとき、係合爪４７および係合孔４３に、矢印ＥＦ方向に交差する方向に負荷がかかることになる。そのため、係合爪４７が係合孔４３の枠に接触し、その負荷を支持することにより、取付板６と本体アーム７との係止状態が保持されるが、その負荷が所定の力を超えると、係合爪４７には傾斜部４９が設けられていることから、係合爪４７が矢印Ｆ方向に押しやられる。そして、ついには係合爪４７が退避位置にまで移動させられ、係合爪４７と係合孔４３との係合状態が解除される。同時に、取付板６と本体アーム７との係止状態が解除され、これら取付板６と本体アーム７とが、負荷の大きさに応じて相互に開かれる。これと同時に、取付板６と本体アーム７との係止状態が解除されることにより、親扉３と子扉４との展開状態のロックが解除され、負荷の大きさに応じて両扉３，４が相互に開かれる。そこで、子扉４を同方向に更に押すことにより、通路がいち早くオープンとなる。
【００４７】
さらに、本実施例における扉ロック装置１においては、上記負荷を支持し係合爪４７と係合孔４３との係止状態を最大限保持する限界保持力を以下のように任意に設定することができる。
すなわち、限界保持力は、傾斜部４９の前方壁部２２ｃからの突出寸法によって決定されるものである。つまり、傾斜部４９の突出寸法が長ければ長いほど、限界保持力も大きくなり、突出寸法が小さくなれば、それだけ限界保持力も小さくなる。そこで、ナット４５を回すことにより、支持ピン４２を介して、係合爪４７の図１に示す矢印ＥＦ方向の設定位置を調整する。これにより、傾斜部４９の突出寸法が設定され、限界保持力が任意に設定される。
【００４８】
以上より、親扉３と子扉４との展開状態において、両扉３，４を相互に閉じる方向に所定の負荷をかけると、傾斜部４９により、係合爪４７を退避させる方向に移動させることができる。そのため、係合爪４７と係合孔４３との係合状態をいち早く解除することができ、緊急時の安全確保をスムーズに行うことができる。また、これら係合爪４７および係合孔４３に過大な負荷がかかるのを回避することができ、装置自体の耐久性を向上させることができる。
【００４９】
また、ナット４５を回すことにより、傾斜部４９の突出寸法の長短を調整することができるため、取付板６と本体アーム７との係止状態の限界保持力を、任意に設定することができる。そのため、親扉３や子扉４の重量や、これら両扉３，４が設置される状況に応じて、最適な限界保持力を適宜設定することができる。例えば、老人や子供が多い建物においては、限界保持力を小と設定したり、両扉３，４の間口寸法が長くその回転モーメントにより大きな力が装置に作用する場合には、限界保持力を大と設定したりすることができる。
【００５０】
（実施例３）
図８は、本発明の第３の実施例を示したものである。
図８において、図１に記載の構成要素と同一部分については同一符号を付し、その説明を省略する。この実施例と上記第１の実施例とは基本的構成は同一であり、以下の点において相違した構成とするものである。すなわち、係合ヘッド部４１の先端部には、爪部（係合爪）６３を有する回動部材（係合解除手段）６６が設けられている。そして、この回動部材６６の中央には、回動開口部６４が形成されており、この回動開口部６４に取付板６の幅方向に伸びる軸部６５が挿入された状態になっている。これにより、回動部材６６は、爪部６３に所定の力がかかると、軸部６５を中心として回動するようになっている。
【００５１】
このような構成のもと、取付板６と本体アーム７とを相互に閉じると、爪部６３が係合孔４３に係合し、取付板６と本体アーム７とが係止される。さらに、取付板６と本体アーム７との展開方向に過大な負荷をかけると、係合孔４３の枠によって、爪部６３が本体アーム７の内底面側に押され、回動部材６６が、軸部６５を中心として回動する。これにより、爪部６３が係合孔４３に係合しない位置まで回転移動させられ、それらの係合状態が解除されるとともに、負荷の大きさに応じて、取付板６と本体アーム７とが相互に開く。
以上より、上記と同様の効果を奏することができるだけでなく、爪部６３の係合と解除を確実に行うことができる。
【００５２】
（実施例４）
図９から図１３は、本発明の第４の実施例を示したものである。
本実施例においては扉ロックユニットとして説明する。すなわち、本実施例における扉ロックユニットは、上記第１から第３の実施例のいずれかの扉ロック装置１と、親扉３と子扉４とを相互に閉じた状態で保持するとともに、通路閉鎖位置Ｐにおいて親扉３の回動を規制するための保持・規制装置（閉状態保持装置、親扉回動規制装置）７０とを備えて構成されるものである。
扉ロック装置１の構成は上記と同様であるので、ここでの説明は省略する。
保持・規制装置７０は、子扉４の上端に固定されている閉用係合板７１と、通路閉鎖位置Ｐの戸当り上枠８３に取り付けられた固定金具８４と、親扉３の上端に取り付けられ、閉用係合板７１および固定金具８４と係合することにより親扉３と子扉４とを閉状態に保持し、さらに親扉３の回動を規制する閉用係合機構７２と、を備えるものである。
【００５３】
閉用係合板７１は、本体壁部７１ａと、閉用係合孔７３を有する突出壁部７１ｂとを備えて断面略Ｌ字状に形成されており、本体壁部７１ａに形成された長孔７１ｃを介して子扉４に螺子等で固定されている。そして、突出壁部７１ｂは、回動面４ａから突出した状態になっている。
【００５４】
閉用係合機構７２は、収納支持ケース７６を備えている。収納支持ケース７６の両側壁には、収納支持ケース７６の幅方向外方に向かって延びる取付壁部８０がそれぞれ設けられている。これら取付壁部８０には長孔８１が高さ方向に並べて形成されており、これら長孔８１を介してネジ止めすることにより、閉用係合機構７２は親扉３に取り付けられている。収納支持ケース７６の内部には、閉用係合板７１に係合する係合レバー７４と、通路閉鎖位置Ｐにおいて親扉３の回動を規制する親扉回動規制レバー８２とが設けられている。これら係合レバー７４および親扉回動規制レバー８２は、収納支持ケース７６の幅方向に向けられた閉用回動軸７５を中心として、縦回動可能に支持されている。さらに、係合レバー７４および親扉回動規制レバー８２は、閉用回動軸７５に卷着されたコイルバネ７９によって、図１０から図１２に対して時計回りに常に付勢された状態になっている。
【００５５】
係合レバー７４は、本体板部９４を備えており、この本体板部９４が両側板部９５に挟まれて構成されている。両側板部９５は、収納支持ケース７６の外方に突出した状態で上方に向けられた閉用係合爪７７を備えており、この閉用係合爪７７には閉用傾斜部７７ａが形成されている。また、閉用係合爪７７は、親扉３と子扉４とが相互に閉じられたとき、閉用係合孔７３に下方から係合するようになっている。本体板部９４は、本体板部９４と両側板部９５との重ね合わせ方向に向けられた板部回動軸９６を中心として、両側板部９５に対して回動可能になっている。そして、本体板部９４は、板部回動軸９６に設けられたねじりバネ９１により、図１０から図１２に対して反時計回りに常に付勢された状態になっており、本体板部９４の回動は、ねじりバネ９１の取付アーム９１ａにより規制されるようになっている。
【００５６】
さらに本体板部９４は、親扉３が通路閉鎖位置Ｐに配されたときに、固定金具８４に当接する解除突起７８を備えている。この解除突起７８は、収納支持ケース７６の天面に形成された第１の天面開口部８５ａを介して上方に突出した状態になっている。この解除突起７８を、その後方から前方に向けて収納支持ケース７６の天面上に沿って押圧すると、係合レバー７４全体が下方に押し込まれるようになっており、反対に前方から後方に向けて押圧すると、本体板部９４が板部回動軸９６を介して下方に押し込まれるようになっている。
【００５７】
また、親扉回動規制レバー８２は、親扉３と子扉４とが相互に閉じられた状態で、突出壁部７１ｂに向けて傾斜するテーパー８６を備えている。そして、テーパー８６は収納支持ケース７６の外方に突出した状態になっている。さらに、親扉回動規制レバー８２は、親扉３が通路閉鎖位置Ｐに配されたときに、固定金具８４に当接する係止突起８７を備えている。この係止突起８７は、収納支持ケース７６の天面に形成された第２の天面開口部８５ｂを介して上方に突出した状態になっている。
【００５８】
さらに、固定金具８４は略矩形状に形成されており、この固定金具８４には凹部８８が形成されている。この凹部８８は、親扉３を通路閉鎖位置Ｐに配したときに、係止突起８７が係合するようになっている。凹部８８の近傍には金具開口部８９が形成されており、この金具開口部８９は、親扉３を通路閉鎖位置Ｐに配したときに、解除突起７８の先端が係合するようになっている。
なお、閉用係合板７１および閉用係合機構７２は閉状態保持装置として機能し、固定金具８４および閉用係合機構７２は親扉回動規制装置として機能するものであり、閉用係合機構７２は両装置に兼用されるものである。
【００５９】
次に、本扉ロックユニットの作用について、二つ折り扉２の開閉動作に合わせて説明する。なお、扉ロック装置１の作用は上記と同様であるため、説明は省略する。
最初に、親扉３が通路閉鎖位置Ｐに置かれていない状態で親扉３と子扉４とを相互に閉じるときの作用を説明する。
図１０に示すように、両扉３，４を相互に近づけていくと、突出壁部７１ｂの先端部が閉用傾斜部７７ａおよびテーパー８６に接触し、さらにこれら閉用傾斜部７７aおよびテーパー８６が突出壁部７１ｂによって押し込まれる。これにより、閉用傾斜部７７ａおよびテーパー８６に下方に力が働き、係合レバー７４および親扉回動規制レバー８２が閉用回動軸７５を中心に回動する。その結果、閉用傾斜部７７aおよびテーパー８６が下方に押しやられ、ついに両扉３，４は相互に閉じられた状態になる。このとき、テーパー８６が下方に押しやられることにより、係止突起８７が収納支持ケース７６内に没した状態になる。その一方で、閉用係合爪７７の上方に閉用係合孔７３が配されるとともに、係合レバー７４が時計回りに常に付勢されていることから、係合レバー７４がその付勢力によって回動することによって元の位置に戻され、その結果、閉用係合爪７７が下方から閉用係合孔７３に係合するとともに、解除突起７８が収納支持ケース７６の第１の天面開口部８５ａを介して上方に突出する。これにより、親扉３と子扉４の相互に閉じられた状態がロックされる。
このように親扉３と子扉４とが相互に閉じられた状態で、両扉３，４は、図１３（ａ）に示すように、収納部３５に収納される。そして、両扉３，４は、図１３（ｂ）に示すように、その閉状態がロックされたまま、収納部３５から、親扉３が通路閉鎖位置Ｐに配されるまでの間を回動する。
【００６０】
次いで、上記のように両扉３，４がロックされ収納部３５に収納された状態で、通路３１を閉鎖するときの作用について説明する。
両扉３，４を収納部３５から引き出して、相互に閉じたまま親扉３が通路閉鎖位置Ｐに配される位置まで両扉３，４を移動させると、図１１に示すように、解除突起７８の先端が固定金具８４に接触して、解除突起７８が後方から前方に向けて押圧される。そのため、係合レバー７４全体が押し下げられて、閉用係合爪７７と閉用係合孔７３との係合状態が解除され、これにより親扉３と子扉４とのロックが解除される。このとき、解除突起７８の先端が金具開口部８９内に配された状態になる。
【００６１】
さらに親扉３と子扉４とのロックが解除された状態で、子扉４を、親扉３から離れる方向に回動させる。すると、図１２に示すように、突出壁部７１ｂが閉用係合機構７２から離れていく。そのため、押し下げられていたテーパー８６が解放され、親扉回動規制レバー８２は時計回りに常に付勢されていることから、親扉回動規制レバー８２がその付勢力により回動し、元の位置に戻される。そして、係止突起８７が第２の天面開口部８５ａから上方に突出する。その結果、係止突起８７と凹部８８とが係合され、これにより、親扉３の回動が規制され、親扉３が通路閉鎖位置Ｐにおいてロックされる。そして、子扉４を上記方向に回動させて両扉３，４を展開状態に配することにより、その展開状態がロックされ、そのため通路３１の閉鎖状態が確実に保持される。
【００６２】
次に、上記のような閉鎖状態から、通路３１を開放するときの作用について説明する。
まず、両扉３，４の展開状態のロックを解除して、子扉４を親扉３に近づくように回動させる。そして、両扉３，４を相互に閉じた状態に配すると、図１１に示すように、突出壁部７１ｂの先端部がテーパー８６に接触し、上記と同様の作用により、テーパー８６が下方に押しやられ、係止突起８７が収納支持ケース７６内に没した状態になる。これにより、係止突起８７と凹部８８との係合状態が解除され、親扉３を回動させることができるようになる。そこで、図１０に示すように、両扉３，４を閉じた状態のまま収納部３５に向けて回動させ、親扉３を通路閉鎖位置Ｐからずらすと、金具開口部８９が収納支持ケース７６の天面上を前方から後方に向けて相対移動する。そのため、解除突起７８が前方から後方に向けて押圧され、本体板部９４が板部回動軸９６を介して両側板部９５に対して下方に押し込まれる。それと同時に、係合レバー７４は時計回りに常に付勢されていることから、係合レバー７４が時計回りに回動し元の位置に戻される。これにより、閉用係合爪７７が閉用係合孔７３に係合し、両扉３，４が相互に閉じられた状態でロックされる。そして、固定金具８４が収納支持ケース７６から離れることにより、本体板部９４が回動バネ９１の付勢力により、板部回動軸９６を介して回動し元の位置に戻される。そのため、解除突起７８が第１の天面開口部８５ａから上方に突出した状態に戻される。さらに、このように両扉３，４が閉状態でロックされたまま、収納部３５に収納される。これにより、通路３１が開放される。
【００６３】
以上より、親扉３と子扉４とが閉状態でロックされることから、収納位置と通路閉鎖位置Ｐとの間において、両扉３，４の同時開閉を迅速かつスムーズに行うことができる。
また、親扉３は通路閉鎖位置Ｐにおいて回動が規制されるため、そこから子扉４の回動を容易に行うことができ、さらに通路３１の閉鎖状態を確実に保持することができる。
さらに、係止突起８７および凹部８８によって親扉３の回動を規制する力に応じて、上記のように傾斜部４９の突出寸法を変化させて限界保持力を調整することができる。これにより、例えば、限界保持力を小さく設定して親扉３と子扉４の展開状態のロックをいち早く解除することにより、係止突起８７および凹部８８に過大な負荷がかかるのを防止し、閉用係合機構７２および固定金具８４の耐久性を向上させることができる。
【００６４】
なお、上記第１から第４の実施例においては、取付板６に係合部４０を設け、本体アーム７に係合孔４３を設けるとしたが、これに限ることはなく、係合部４０を本体アーム７に、係合孔４３を取付板６に設けてもよい。このときには、切り起こし部５０を取付板６に設けるようにすればよい。
また、切り起こし部５０を設けることなく、別部材を取り付けるようにしてもよい。ただし、切り起こし部５０を設けたほうが、部品点数を減少でき、構成がより簡易になるのは上述の通りである。
さらに、係合爪４７の突出寸法調整手段はなくてもよい。ただし、これを設けたほうが望ましいのは上述の通りである。また、突出寸法調整手段は雄ネジ部４４やナット４５でなくてもよい。
なお、本発明の技術範囲は上記の実施例に限定されるものではなく、本発明の趣旨を逸脱しない範囲において、種々の変更を加えることが可能である。
【図面の簡単な説明】
【００６５】
【図１】本発明に係る扉ロック装置の第１の実施例を示す図であって、取付板と本体アームとを相互に閉じた状態を示す側面透視図である。
【図２】同実施例において、取付板と本体アームとを途中位置まで相互に開いた状態を示す側面透視図である。
【図３】同実施例において、取付板と本体アームとを相互に完全に開いた状態を示す側面透視図である。
【図４】図１における扉ロック装置を長さ方向から見た背面透視図である。
【図５】図１における扉ロック装置の上面透視図である。
【図６】同実施例において、二つ折り扉の開閉動作と扉ロック装置との様子を示す図であって、（ａ）は二つ折り扉が収納され通路をオープンにした様子を示す説明図、（ｂ）は二つ折り扉を収納部から外に出した様子を示す説明図、（ｃ）は二つ折り扉を展開し通路を塞いだ様子を示す説明図である。
【図７】本発明に係る扉ロック装置の第２の実施例を示す側面透視図である。
【図８】本発明に係る扉ロック装置の第３の実施例の要部を示す側面透視図である。
【図９】本発明に係る扉ロック装置の第４の実施例を示す斜視図である。
【図１０】同実施例において、親扉を通路閉鎖位置からずらした様子を示す図であって、親扉と子扉とを相互に閉じた状態を示す説明図である。
【図１１】同実施例において、親扉を通路閉鎖位置に配した様子を示す図であって、親扉と子扉とを相互に閉じた状態を示す説明図である。
【図１２】同実施例において、親扉を通路閉鎖位置に配した様子を示す図であって、子扉を親扉に対して離した様子を示す説明図である。
【図１３】同実施例において、二つ折り扉の開閉動作と扉ロックユニットとの様子を示す図であって、（ａ）は二つ折り扉が収納され通路をオープンにした様子を示す説明図、（ｂ）は二つ折り扉を収納部から外に出した様子を示す説明図、（ｃ）は二つ折り扉を展開し通路を塞いだ様子を示す説明図である。
【図１４】二つ折り扉の開閉動作を示す図であって、（ａ）は二つ折り扉が収納され通路をオープンにした様子を示す説明図、（ｂ）は二つ折り扉を収納部から外に出した様子を示す説明図、（ｃ）は二つ折り扉を展開し通路を塞いだ様子を示す説明図である。
【符号の説明】
【００６６】
１    扉ロック装置
２    二つ折り扉（扉）
３，１０２    親扉
４，１０３    子扉
４ａ  回動面（回動側の面）
６    取付板（ベース部材）
７    本体アーム（支持アーム）
９    本体回動バネ（弾性部材）
３１  通路
４２  支持ピン（突出寸法調整手段）
４３  係合孔
４４  雄ネジ部（突出寸法調整手段）
４５  ナット（突出寸法調整手段）
４７  係合爪
４８  操作ピン
４９  傾斜部（係合解除手段）
５２  保持クリップ（挟持部材）
６３  爪部（係合爪）
６６  回動部材（係合解除手段）
７０  保持・規制装置（閉状態保持装置、親扉回動規制装置）
７１  閉用係合板（閉状態保持装置）
７２  閉用係合機構（閉状態保持装置、親扉回動規制装置）
８４  固定金具（親扉回動規制装置）
Ｐ    通路閉鎖位置
【図１】
2006009351.tif 000003
【図２】
2006009351.tif 000004
【図３】
2006009351.tif 000005
【図４】
2006009351.tif 000006
【図５】
2006009351.tif 000007
【図６】
2006009351.tif 000008
【図７】
2006009351.tif 000009
【図８】
2006009351.tif 000010
【図９】
2006009351.tif 000011
【図１０】
2006009351.tif 000012
【図１１】
2006009351.tif 000013
【図１２】
2006009351.tif 000014
【図１３】
2006009351.tif 000015
【図１４】
2006009351.tif 000016